【事件の表示】
　特許第６８０９６２９号発明「エレベータ用操作盤」の特許異議申立事件について、次のとおり決定する。
【結　論】
　特許第６８０９６２９号の請求項１、３ないし５に係る特許を維持する。
【理　由】
第１　手続の経緯
　特許第６８０９６２９号の請求項１ないし５に係る特許についての出願は、令和２年６月１２日に出願され、同年１２月１４日にその特許権の設定登録がされ、令和３年１月６日に特許掲載公報が発行された。その後、請求項１、３ないし５に係る特許に対して、令和３年７月２日に特許異議申立人西村裕之は、特許異議の申立てを行った。
第２　本件発明
　特許第６８０９６２９号の請求項１、３ないし５に係る発明（以下、「本件発明１」、「本件発明３」ないし「本件発明５」という。）は、それぞれ、その特許請求の範囲の請求項１、３ないし５に記載された事項により特定されるとおりのものであって、本件発明１は、次のとおりである。なお、本件発明３ないし本件発明５は、本件発明１を更に限定したものである。
［本件発明１］
「エレベータ用昇降路を移動する乗りかごの行先階の登録操作を行う機能を有するとともに上下方向に沿って一列に並ぶ複数の接触式操作入力部を含み、前記乗りかご内の乗降口に隣接する壁に取り付けられたエレベータ用操作盤であって、
　正面側から見て前記複数の接触式操作入力部の右側に各々隣接配置され、手をかざすことにより生じる遮光を検知することで正面側から見て左側に隣接する前記接触式操作入力部と同じ前記行先階の登録操作を実行可能に各々構成された複数の非接触式操作入力部と、
　前記複数の接触式操作入力部および前記複数の非接触式操作入力部のうち左右に隣り合う前記接触式操作入力部および前記非接触式操作入力部のいずれか一方により前記行先階の登録操作が行われた場合に前記行先階の登録がなされたことを発光により報知する機能を有し、前記非接触式操作入力部が前記遮光を検知している状態で正面側から見たときに前記非接触式操作入力部にかざされている乗客の手で隠れてしまわないよう正面側から見て前記非接触式操作入力部の左側に隣接する前記接触式操作入力部に各々設けられる複数の登録報知部と、を備える、
　エレベータ用操作盤。」
第３　申立理由の概要
　令和３年７月２日の特許異議申立書に記載された特許異議の申立ての理由の要旨は、次のとおりである。
　請求項１、３ないし５に係る発明は、甲第１号証に記載された発明並びに甲第２号証及び甲第３号証に記載された技術的事項に基いて当業者が容易に発明をすることができたものである。したがって、請求項１，３ないし５に係る特許は、特許法第２９条第２項の規定に違反してされたものであり、取り消されるべきものである。
　甲第１号証：特開２０１９−１４２６８６号公報
　甲第２号証：実願昭５８−７８７２５号（実開昭５９−１８３４６７号）のマイクロフィルム
　甲第３号証：特開２０１７−９５９４０号公報
第４　各甲号証に記載の事項及び発明
　１　甲第１号証・甲１発明（下線は当審で付した。以下同様。）
（１）「【００１７】
　
エレベータ１０
かご２２
【００１８】
　かご２２内には、
かご操作盤２８
出入口
左右両側の袖壁のいずれか一方に設けられる
【００１９】
　図２に示すように、かご操作盤２８は、乗客がかご２２の
行先階を決定する操作を行う
非接触で検出する複数のセンサ３２Ａ，３２Ｂ，…３２Ｃ
【００２０】
　行先階操作部３０では、センサ３２Ａ，３２Ｂ，…３２Ｃの各々として、投光器と受光器が一体になった
反射型光電センサ
（２）「【００２２】
　センサ３２Ａ，３２Ｂ，…３２Ｃのうち隣接するセンサ同士は、１０ｃｍ程度（概ね、拳骨１つ分程度）の間隔を有する。検出距離が上記範囲内に設定されたセンサ３２Ａ，３２Ｂ，…３２Ｃの各々を、このような間隔をもって配置することにより、仮に、乗客が行先階操作部３０の正面に立って、
指や手のひらを特定のセンサにかざし、行先階を決定する操作を行った
【００２３】
　パネル部分３４には、
センサ３２Ａ，３２Ｂ，…３２Ｃ各々の左側に、対応する階を示す数字が表示されている
数字
点灯するように構成
（３）「【００３４】
　センサ３２Ｂからの検出信号があり、且つ、隣接センサからの検出信号がない場合（Ｓ２：ＹＥＳ）は、
センサ３２Ｂからの検出信号
２階を行先階として登録
表示された数字の「２」
点灯させる
（４）【図２】
（５）【図２】からは、センサ３２Ａ，３２Ｂ，…３２Ｃが、上下方向に沿って一列に並び、センサ３２Ａ，３２Ｂ，…３２Ｃの左側に複数の点灯する数字が隣接している構成が見て取れる。
　そこで、上記記載事項及び図示内容を総合し、本件の請求項１の記載ぶりに則って整理すると、甲第１号証には次の発明（以下、「甲１発明」という。）が記載されていると認められる。
［甲１発明］
「エレベータ１０のかご２２の行先階を決定する操作を行う機能を有し、前記かご２２内の出入口左右両側の袖壁のいずれか一方に設けられたかご操作盤２８であって、
　指や手のひらをかざすことによる反射光の受光量に基づいて行先階を決定する操作を行う反射型光電センサを収納した複数のセンサ３２Ａ，３２Ｂ，…３２Ｃと、
　前記複数のセンサ３２Ａ，３２Ｂ，…３２Ｃにより前記行先階を決定する操作が行われた場合に前記決定がなされた行先階の数字が点灯するように構成され、正面側から見て前記センサ３２Ａ，３２Ｂ，…３２Ｃの左側に隣接する複数の数字と、を備える、
　かご操作盤２８。」
　２　甲第２号証
　甲第２号証には、次の事項が記載されている。
「従来の操作表示装置の一例を第１図により説明する。図に於て、１０はかご操作盤、１〜４は１〜４階用の
行先階呼登録ボタン
操作されると内蔵されたランプが点灯
　３　甲第３号証
　甲第３号証には、次の事項が記載されている。
（１）「【００４０】
　非接触スイッチ２５は、３点式の押しボタン２４の上昇（開）ボタン２４１、停止（停）ボタン２４２、下降（閉）ボタン２４３の左側に隣接して設けられたエリアセンサ２５ａ〜２５ｃから構成される。３個のエリアセンサ２５ａ〜２５ｃは、３点式の押しボタン２４の配列方向（図５では上下方向又は開閉方向）に沿った各ボタンの左側近傍に配置されている。この非接触スイッチ２５は、近赤外線距離限定反射式のエリアセンサ２５ａ〜２５ｃで構成され、点線で示す手指４０などの反射物がエリアセンサ２５ａ〜２５ｃに接近した状態を検知し、その検知信号を通信ケーブル経由にて入出力端子台２１のマイクロコンピュータに出力する。このエリアセンサ２５ａ〜２５ｃの検知範囲は、上昇（開）ボタン２４１、停止（停）ボタン２４２、下降（閉）ボタン２４３の左側であって、センサ手前の約５〜１５［ｃｍ］の領域（エリア）Ａ，Ｂ，Ｃである。なお、
エリアセンサ２５ａ〜２５ｃは、３点式の押しボタン２４の上昇（開）ボタン２４１、停止（停）ボタン２４２、下降（閉）ボタン２４３の右側に隣接して設けてもよい
（２）「【００４６】
　ステップＳ２１２では、接続されている各種構成部品から入力した状態変化を示す信号に対応した制御信号をモータドライブ基板２２に通信ケーブル３０経由で送信する。例えば、
３点式の押しボタン２４からの押圧操作信号を入力した場合、それぞれの開閉停の押しボタン２４１〜２４３に対応した開閉停の制御信号をモータドライブ基板２２に送信する
第５　当審の判断
　１　本件発明１について
（１）対比
　本件発明１と甲１発明とを対比すると、甲１発明の「エレベータ１０のかご２２」は、本件発明１の「エレベータ用昇降路を移動する乗りかご」に相当し、以下同様に、
「行先階の決定」は「行先階の登録」に、
「行先階の決定をする操作」は「行先階の登録操作」に、
「出入口左右両側の袖壁のいずれか一方」は「乗降口に隣接する壁」に、
「設けられ」ることは「取り付けら」ることに、
「かご操作盤２８」は「エレベータ用操作盤」に、
「前記決定がなされた行先階の数字が点灯するように構成され」ることは「前記行先階の登録がなされたことを発光により報知する機能を有」することに、
「複数の数字」は「複数の登録報知部」に、それぞれ相当する。
　そして、本件特許の願書に添付した明細書の「
各センサ部３２
反射型光電センサ
センサ部３２
遮光を検知する
　さらに、甲１発明において、センサ３２Ａ，３２Ｂ，…３２Ｃに指や手のひらをかざしたことを検知している状態において、センサ３２Ａ，３２Ｂ，…３２Ｃの左側に隣接する位置は、当該手のひらで隠れない位置であるといえるから、甲１発明の「正面側から見て前記センサ３２Ａ，３２Ｂ，…３２Ｃの左側に隣接する」ことは、本願発明１の「前記非接触式操作入力部が前記遮光を検知している状態で正面側から見たときに前記非接触式操作入力部にかざされている乗客の手で隠れてしまわないよう正面側から見て前記非接触式操作入力部の左側に隣接する」ことに相当するといえる。
　以上のとおりであるから、本件発明１と甲１発明との一致点及び相違点は次のとおりである。
［一致点］
「エレベータ用昇降路を移動する乗りかごの行先階の登録操作を行う機能を有し、前記乗りかご内の乗降口に隣接する壁に取り付けられたエレベータ用操作盤であって、
　手をかざすことにより生じる遮光を検知することで前記行先階の登録操作を実行可能に各々構成された複数の非接触式操作入力部と、
　前記複数の非接触式操作入力部により前記行先階の登録操作が行われた場合に前記行先階の登録がなされたことを発光により報知する機能を有し、前記非接触式操作入力部が前記遮光を検知している状態で正面側から見たときに前記非接触式操作入力部にかざされている乗客の手で隠れてしまわないよう正面側から見て前記非接触式操作入力部の左側に隣接する複数の登録報知部と、を備える、
　エレベータ用操作盤。」
［相違点］
　本件発明１のエレベータ用操作盤は「乗りかごの行先階の登録操作を行う機能を有するとともに上下方向に沿って一列に並ぶ複数の接触式操作入力部を含み」、
　本件発明１の非接触式操作入力部は「正面側から見て前記複数の接触式操作入力部の右側に各々隣接配置され、」「正面側から見て左側に隣接する前記接触式操作入力部と同じ前記行先階の登録操作を実行可能」であって、
　本件発明１の複数の登録報知部は「前記複数の接触式操作入力部および前記複数の非接触式操作入力部のうち左右に隣り合う前記接触式操作入力部および前記非接触式操作入力部のいずれか一方により前記行先階の登録操作が行われた場合に前記行先階の登録がなされたことを発光により報知する機能を有」し、「接触式操作入力部に各々設けられる」構成であるのに対し、甲１発明は、このような構成を有しない点。
（２）判断
　上記相違点について検討する。
　甲第２号証には、「行先階呼登録ボタン」に内蔵される「ランプ」（本件発明１の「接触式操作入力部に各々設けられる」「登録報知部」に相当）は開示されているものの、「行先階呼登録ボタン」と同じ行先階の登録操作を実行可能な非接触式操作入力部が記載も示唆もされていないので、甲１発明に、甲第２号証に記載された技術的事項を付加したとしても、上記相違点に係る本件発明１の構成に至らない。
　また、甲第３号証には、反射式のエリアセンサ２５ａ〜２５ｃを、３点式の押しボタン２４の上昇（開）ボタン２４１、停止（停）ボタン２４２、下降（閉）ボタン２４３の右側に隣接して設ける構成が記載されており、甲第３号証の「反射式のエリアセンサ２５ａ〜２５ｃ」及び「３点式の押しボタン２４」は、それぞれ本件発明１の、「非接触式操作入力部」及び「接触式操作入力部」に相当するから、本件発明１の「非接触式操作入力部」を「正面側から見て前記複数の接触式操作入力部の右側に各々隣接配置」することに相当する構成は甲第３号証に記載されているものの、「行先階の登録操作を行う」「接触式操作入力部」及び「接触式操作入力部と同じ行先階の登録操作を実行可能」な「非接触式操作入力部」に相当する構成は、記載ないし示唆されていないので、甲１発明に、甲第３号証に記載された技術的事項を付加したとしても、上記相違点に係る本件発明１の構成に至らない。
　さらに、甲第２号証及び甲第３号証のいずれにも、「接触式操作入力部と同じ行先階の登録操作を実行可能」な「非接触式操作入力部」は、記載ないし示唆されていないので、甲１発明に、甲第２号証及び甲第３号証に記載された技術的事項を付加しても、上記相違点に係る「正面側から見て左側に隣接する前記接触式操作入力部と同じ前記行先階の登録操作を実行可能」な「非接触式操作入力部」の構成には至らない。
　そして、本件発明１は、上記相違点に係る本件発明１の「正面側から見て左側に隣接する前記接触式操作入力部と同じ前記行先階の登録操作を実行可能」な「非接触式操作入力部」の構成により、「操作盤の大型化を抑制しつつ利用者の利便性も向上させる」（段落【００１４】参照。）という作用・効果を奏すると認められ、このような作用・効果は、当業者といえども甲１発明並びに甲第２号証及び甲第３号証に記載された技術的事項から予測できたものとはいえない。
　したがって、本件発明１は、甲１発明並びに甲第２号証及び甲第３号証に記載された技術的事項に基いて当業者が容易に発明をすることができたものではない。
　２　本件発明３ないし本件発明５について
　本件発明３ないし本件発明５は、本件発明１を更に限定するものであり、甲１発明との間に少なくとも上記相違点を有するものである。
　したがって、本件発明１と同様の理由により、本件発明３ないし本件発明５は、甲１発明並びに甲第２号証及び甲第３号証に記載された技術的事項に基いて当業者が容易に発明をすることができたものではない。
第６　むすび
　したがって、特許異議の申立ての理由及び証拠によっては、請求項１、３ないし５に係る特許を取り消すことはできない。
　また、他に請求項１、３ないし５に係る特許を取り消すべき理由を発見しない。
　よって、結論のとおり決定する。
【異議決定日】
令和３年１０月８日（２０２１．１０．８）